(57)【特許請求の範囲】
【請求項１】
ａ．円板又はドーナツ板状に形成された透明な樹脂製ケース板２枚を間隔を空けて対面させると共に、この対面させたケース板同士の下半周縁の内側に沿って、一定の間隔で一方の面には凸部を形成し、他方の面であって、前記凸部と対向する部位には半周に亘って厚みを増した段部を形成すると共に、この段部に前記凸部が嵌合する凹部を形成し、この凸部と凹部の嵌合により前記２枚のケース板を一体化してカードケースを形成したこと、
ｂ．前記カードケースの外周縁の一部から後方に向けて板状の係合部を突設したこと、
ｃ．前記係合部の表面には、縦溝状のすべり止めを形成したこと、
ｄ．前記係合部の先端側の下縁には、カードケースを水平に維持するために、係合部の下縁をその先端側に向って下向きに傾斜させると共に、この傾斜させた先端縁を、前記係合部の先端よりも更に突出させることにより、前記係合部を後述するケースホルダーに挟み込むようにして水平に取り付けたときに、当該ケースホルダーが取り付けられた取付面に丁度当接する長さに設定した支持部が形成されていること、
ｅ．前記カードケースの上半周縁の一部における一方のケース板には、情報掲示カード摘み用の切欠部を形成したこと、
ｆ．前記段部の内縁の一部を内方に膨出させて位置決め部を形成したこと、
ｇ．情報掲示カードは紙質で円形に形成し、この情報掲示カードの周縁の一部に、前記カードケース側の位置決め部に係合させることで情報掲示カードの印刷の向きを定める位置決め係合凹部を形成したこと、
ｈ．正面に向けて２枚の挟圧板により前記カードケースの係合部を受け入れて挟み込み、カードケースを水平に保持する差込口付のケースホルダーを設けたこと、
ｉ．を特徴とする情報掲示カード掲示装置。
【発明の詳細な説明】
【技術分野】
【０００１】
本発明は、パチンコ店のような遊技場において、個々のパチンコ台或いはコーナに関する各種の情報を手軽に表示する情報掲示カードの掲示装置に関するものである。
【背景技術】
【０００２】
パチンコ、パチスロ、スマートボール、ゲーム等の遊技場において、遊技具等の機種や状態例えば「スタート」「大当たり」「ラッキー」などを掲示するために、図２２に示すような掲示シート１００が公知である。この掲示シート１００は、遊技具あるいはこの近傍に取り付けられたホルダー１０１のシート差込口１０３に係合部１０２を差し込んで掲示するものであって、遊技者への案内の目的の他に、遊技具等の状態を周囲に知らしめることにより、優越感や精神的高揚をもたらす効果を狙うことを目的としている。
このような掲示シート１００は、保形性と汚れ防止等の目的から、情報を印刷した紙の両面にプラスチックフィルムをラミネート加工した構成のものが多い。
【特許文献１】特開２００２−３４１７６６号公報この特許文献１に掲載の発明は、各種カードや下敷き、パチンコ遊技において大当たりを含む特定状態を表示するための大当たりプレートなどのような積層板を、安価に製造でき、かつ小ロットの注文にも対応できるようにすることを目的として、文字や図形等の表示を有するシート基材に、上記表示を覆うようにオーバーレイシートを熱プレスによりラミネートして形成した薄板状の積層板であって、上記表示を無版印刷により形成したことを特徴とするものである。
【発明の開示】
【発明が解決しようとする課題】
【０００３】
しかし、特許文献１の場合、表示シートの掲示内容を変えることになった場合、このシートがラミネート加工されているため、中の印刷物のみ変えることは不可能である。そのため、不用となったシートは、廃棄するしかなく、例えばパチンコ台の入れ替え時には大量の掲示シートが廃棄物となり、この処分方法が問題となっている。これは、ラミネートフィルムはポリエステルフィルムが主原料であることから、印刷された紙とラミネートフィルムは密着していて、分別することが不可能なため、処分方法としては焼却しかない。しかし、この焼却方法を利用した場合、ダイオキシン等の有害物質が発生するため、環境負荷の面で好ましくない。また、ラミネート加工を行っているためにシート一枚のコストが高い。
本発明は、斯かる点に鑑みて提案されるものであって、その目的は、掲示する内容を変える場合、簡単に差し替えを行うことができ、さらに、従来のようにラミネート加工を施さないため、焼却処分してもダイオキシン等の有害物質を発生しない情報掲示カードケースを提案することである。
【課題を解決するための手段】
【０００４】
上記目的を達成するため、請求項１に記載の発明においては、情報掲示カード掲示装置において、ａ．円板又はドーナツ板状に形成された透明な樹脂製ケース板２枚を間隔を空けて対面させると共に、この対面させたケース板同士の下半周縁の内側に沿って、一定の間隔で一方の面には凸部を形成し、他方の面であって、前記凸部と対向する部位には半周に亘って厚みを増した段部を形成すると共に、この段部に前記凸部が嵌合する凹部を形成し、この凸部と凹部の嵌合により前記２枚のケース板を一体化してカードケースを形成したこと、
ｂ．前記カードケースの外周縁の一部から後方に向けて板状の係合部を突設したこと、
ｃ．前記係合部の表面には、縦溝状のすべり止めを形成したこと、
ｄ．前記係合部の先端側の下縁には、カードケースを水平に維持するために、係合部の下縁をその先端側に向って下向きに傾斜させると共に、この傾斜させた先端縁を、前記係合部の先端よりも更に突出させることにより、前記係合部を後述するケースホルダーに挟み込むようにして水平に取り付けたときに、当該ケースホルダーが取り付けられた取付面に丁度当接する長さに設定した支持部が形成されていること、
ｅ．前記カードケースの上半周縁の一部における一方のケース板には、情報掲示カード摘み用の切欠部を形成したこと、
ｆ．前記段部の内縁の一部を内方に膨出させて位置決め部を形成したこと、
ｇ．情報掲示カードは紙質で円形に形成し、この情報掲示カードの周縁の一部に、前記カードケース側の位置決め部に係合させることで情報掲示カードの印刷の向きを定める位置決め係合凹部を形成したこと、
ｈ．正面に向けて２枚の挟圧板により前記カードケースの係合部を受け入れて挟み込み、カードケースを水平に保持する差込口付のケースホルダーを設けたこと、
ｉ．を特徴とするものである。
【発明の効果】
【０００５】
本発明は以上のように、任意の情報掲示カードを紙で作成し、これを情報掲示カードケース内に差し込んで表示する方式のため、次の効果が得られる。
１．情報の交換が自由であるばかりでなく、情報掲示カードは紙製でよく、カードの製作  にコストがかからない。
２．不用となった情報掲示カードは、紙製のため、焼却処分してもダイオキシン類の発生  の心配がない。
３．既存のホルダーを用いることができるため、イニシャルコストが安い。
【発明を実施するための最良の形態】
【０００６】
本発明の情報掲示カード掲示装置は、パチンコ遊技場等で用いられ、パチンコ台等の設置面に対してほぼ直角方向に向けて設置されるものであり、その構成は例えば２枚の透明な樹脂成形板を向かい合わせて組み合わせ、内部にカード収納室を形成し、開放口をカード差込口となし、ここから情報掲示カードを出し入れ自在にした。その結果、パチンコ店で自ら掲示内容をデザインしたりして他店との差別化を図ることができると共に、独自性のある情報掲示を可能にするものである。
また、情報掲示カードは、一般の紙を利用できるので、情報掲示カードを処分するときは焼却処分が可能であり、環境への負荷を低減できる。
【実施例１】
【０００７】
次に、各図に基づいて本発明に係る情報掲示カード掲示装置の実施例を詳しく説明する。
カードケース及びケースホルダーの成形には、透明なＡＢＳ樹脂を用いた。この選択理由は、透明性と落下した場合に割れにくいと云う特性からである。
図１はケース板Ａを表す図で（Ａ）は側面図、（Ｂ）は（Ａ）におけるＡ−Ａ´部断面図、図２はケース板Ｂを表す図で（Ａ）は側面図、（Ｂ）は（Ａ）におけるＢ−Ｂ´部断面図、図３は、ケース板Ａとケース板Ｂを合体させた情報掲示カードケースの完成図で、（Ａ）は上方から見た上面図、（Ｂ）は中央横断面図、図４は情報掲示カードケースをホルダーに差し込む様子を示す説明図である。
【０００８】
先ず、ケース板Ａについて図１を用いて詳細に説明すると、直径が約１５０ｍｍである円形の掲示部１とこの掲示部１の後縁から後方に向けて形成された約７０×５０の長方形の係合部２とから構成されている。掲示部１の板厚は１．２ｍｍであり、係合部２の板厚は０．８ｍｍである。
図面における掲示部１の下半分の円周縁３には、相手方のケース板Ｂに形成された嵌合孔４へ嵌入するためのボス５が３０度間隔で７カ所形成されている。
一方のケース板Ｂについて図２を用いて説明すると、板厚が１．２ｍｍからなる円形の掲示部１ａのみの形状である。
ケース板Ｂの下半分には０．３ｍｍ高い段部６が形成され、ケース板Ａへ組み込んだ時この段部６により空間が生じ、この空間が情報掲示カードを収納する収納室７（図３参照）として利用される。さらに、段部６にはケース板Ａに形成されたボス（凸部）５が嵌入する嵌合孔（凹部）４が相対する位置に形成されており、このボス５と嵌合孔４の作用でケース板ＡとＢはカシメ止めされ、一体化される。
【０００９】
さらに、ケース板Ｂの上方には半円形の切欠部９が形成されている。
以上説明したケース板Ａとケース板Ｂを情報掲示カードケースとして組み合わせる場合は、双方を向き合わせ、ケース板Ｂの嵌合孔４へケース板Ａのボス５を嵌入させると、ケース板Ａとケース板Ｂは一体になる。嵌合孔４とボス５の設置については、嵌合範囲の両端に各々１個、嵌合範囲内に１個以上の合計３個以上あることが望ましい。なお、本実施例では、ボス５の先端に段部を形成することにより、必然的にケース板ＡとＢ間に隙間が出来るように形成している。
【００１０】
図３（Ａ）及び（Ｂ）に示すように段部６の作用によりケース板Ａとケース板Ｂの間には０．３ｍｍの空間が生じ、ここに収納室７が形成される。また、段部６が無い部分については外部と収納室７が連続されるカード差込口１０となるため、収納室７へ自在に情報掲示カードを出し入れできる。
なお、ケース板ＡとＢの合わせ目であって、差込口１０におけるケース板Ａ及びケース板Ｂの端部（エッジ）に、図１６に示すように、を曲面形状あるいはカット形状から成る拡大部１８を形成することにより、情報掲示カードの挿入を円滑に行なうことができる。
【００１１】
以上の様に組み合わせた情報掲示カードケース１の斜視図を図４示す。この図４において、１１は紙製の情報掲示カード、１０１はカードホルダー、１０３はカードケースの係合部２が差し込まれる差込部である。
本実施例１の情報掲示カードケースの使用方法は、パソコンなどを使用して情報掲示カード１１を作成し、これをカード差込口１０から収納室７内へ挿入する。カードケースにおいて、表裏掲示したい場合には、１枚の情報掲示カード１１の両面に印刷するか、情報掲示カードを２枚用意してお互いに見える様背中合わせに挿入する。２枚使用すると、一方の掲示のみを変えたいときに、この変えたい方だけを差し替えればよく、便利である。
情報掲示カード１１を挿入した後、図４に示すように、板状の係合部２をホルダー１０１の差込部１０３へ差し込むことにより、情報掲示カード１１を店内に掲示できる。
また、収納室７から情報掲示カード１１を取り出す場合は、掲示部１の切欠部９に情報掲示カード１１の一部が露出しているので、そこを摘んだり、指をかけて引き出したりすることにより、容易に取り出す事ができる。
なお、情報掲示カードケースの表面へ光触媒を塗布することにより、タバコによる汚染防止や曇り止めの効果を得ることが出来る。
【００１２】
図５は、カードケースにおいて、切欠部９を図から見て中心から６０度左側へ振った様子を表している。情報掲示カードケースをホルダー１０１の差込口１０３に差し込んだとき、切欠口９が情報掲示カードケースの端面横側にあるため、背が低い従業員でも容易に情報掲示カード１１の差し替えを行うことができる。
ホルダー係合部２の別の形状を図６に示す。このホルダー係合部２は、その下部をホルダー１０１を取り付けた壁に当接するように、下縁を後方に突出させて支持部２ａを形成した。この結果、この支持部２ａが壁１０４に当り、支点となるため、係合部２とホルダー１０１との挟持力に加えて、支持部２ａの支持力が加わり、情報掲示カードケースに曲げモーメントが大きくかかっても、水平を保ちながら安定する。
【００１３】
[参考例１]
本参考例１では、ケース板ＡとＢに設けたボス４と嵌合孔８との組合せにより情報掲示カードケースをカシメ方式で一体化したが、本参考例１では、双方のケース板ＡとＢにおける周囲の一部に、返し部１２、１３を形成し、この折り返し部１２、１３内に夫々の周縁を差し入れることにより、情報掲示カードケースとして一体化する方法である。
図７〜９に基づいて説明すると、図７は実施例２におけるケース板Ａを表す図で（Ａ）は側面図、（Ｂ）は（Ａ）におけるＣ−Ｃ´部断面図、図８は実施例２におけるケース板Ｂを表す図で（Ａ）は側面図、（Ｂ）は（Ａ）におけるＤ−Ｄ´部断面図、図９はケース板Ａとケース板Ｂを返し部１２、１３を用いて組み込んだ時の断面図である。
【００１４】
図７において、ケース板Ａには約下半分に１．５ｍｍの間隔を空けて折り返し部１２を形成した。また、係合部２も実施例１同様に形成した。
一方のケース板Ｂは、図８に示す様に約上半分にケース板Ａと同様に１．５ｍｍの間隔を空けて折り返し部１３形成した。更に、折り返し部１２が形成されていない板半分の３カ所に高さが０．３ｍｍのスペーサー１４を形成した。
以上の様に形成されたケース板Ａとケース板Ｂとの組合せ方法は、双方の平板状の端部を相手方の折り返し部１２及び１３内に差し入れる。各々の折り返し部１２、１３が１．５ｍｍ間隔を空けることにより、他方のケース板が折り返しの中に差し入れてもスペーサー１４の効果により、０．３ｍｍの空間が生じ、ここが収納室７となる。このカードケースの場合、カード差込口１０はスペーサー１４側となる。
組み合わされた情報掲示カードケースの掲示部１における断面図を図９に示す。
受ける役目の折り返し部１２をもつケース板Ａ側に係合部２が形成されているため、係合部２をホルダー１０１の差込口１０３内に差し込むことにより、情報掲示カードケースはホルダー１０１で保持される。
本参考例１の情報掲示カードケースの使用方法は、一方のケース板Ａ又はＢへ情報掲示カード１１を置く。このとき、折り返し部１２、１３は設置ガイドの効果も果たす。次に、折り返し部１２、１３の作用により、ケース板Ａとケース板Ｂとを一体化する。次に、係合部２をホルダー１０１の差込口１０３へ差し込むことにより、情報を店内に知らしめることができる。
【実施例２】
【００１５】
本実施例２は、ケース板Ａ、Ｂをドーナツ状に形成し、これを用いてカードケースを製作した例である。図１０は本実施例２におけるケース板Ａの側面図である。この形状を説明すると、外形の寸法は実施例１と同様であるが、違いは、外形である輪郭から２５ｍｍである押さえ部１５を残し、他は切り抜いている。この押さえ部１５は額縁状を呈し、収納室７に挿入した情報掲示カード１１の周囲を支えることにより、収納室７に情報掲示カード１１を保持する機能を有する。一方のケース板Ｂも同様に切り抜きを行った。また、ケース板Ａとケース板Ｂの組合せは実施例１と同様に行った。
その結果、実施例１と比較すると重量は４０前後％減少し、情報掲示カードケースとホルダー１０１との保持力が向上すると共に、材料の削減にも寄与することができる。
【００１６】
［参考例２］
本参考例２では、係合部２の位置を、情報掲示カードケースにおける掲示部１の中心位置よりも下の位置になるように構成することにより、はずれ方向への曲げモーメント（離脱力）が低下させることが出来る例を紹介する。
図１１は本参考例２における情報掲示カードケースの側面図、図１２（Ａ）（Ｂ）はモーメントの説明図である。
図１２に基づいて説明すると、情報掲示カードケースにおける掲示部１の直径Ｌが１５０ｍｍ、重量が３６ｇ、掲示部１の中心から保持する所までの距離Ｐを９０ｍｍとした場合、（Ａ）に示す係合部２の中心と掲示部１の中心との水平位置が一致する時、はずれ方向へ働く力Ｍは４９．５ｇである。
一方、（Ｂ）に示す係合部２の中心が掲示部１の中心からｈ＝２０ｍｍ下に有る場合、はずれ方向へ働く力Ｍ´は４６．９ｇである。
このことにより、本実施例の情報掲示カードケースの場合、係合部２の中心の位置を掲示部１の中心位置より下げることにより、はずれ方向への曲げモーメントは約９．５％低減することができる。
【００１７】
なお、本発明の場合は、情報掲示カードケースにおける係合部２に縦溝１６を形成し、この縦溝１６をすべり止めとした。これにより、係合部２とホルダー１０１との保持力を高める効果が得られる。
図１３は係合部２とホルダー１０１の斜視図である。係合部２の板厚は１．４ｍｍである。前記係合部２の両側面に幅１．５ｍｍ深さ０．４ｍｍの溝１６を３カ所形成した。したがって、ホルダー１０１の差込口１０３に形成したフック部１０４を前記溝１６の何れかに挟持させることにより、溝１６とフック部１０４とが嵌合され、これにより情報掲示カードケースとホルダー１０１との挟持力が向上する効果が得られる。
なお、上記溝１６の構成は一例であって、すべり止めとしては、凹凸、クロスした溝等でもよく、このすべり止めの手段は慣用されている公知の手段を用いることができる。
【００１８】
［参考例３］
本参考例３は、カードケースについて、落下防止を図る例である。
図１４は水平部１７付の係合部２をホルダー１０１の差込口１０３内に差し込んだ説明図、図１５は水平部１７の拡大図である。
係合部２の上縁にＴ字型の水平部１７を設けている。したがって、情報掲示カードケースをホルダー１０１の差込口１０３に差し込んだとき、前記水平部１７が前記ホルダー１０１の上縁に掛合され、引っかかる状態になるため、落下方向へ力がかかっても、水平部１７がストッパーとなってずり落ちるのを防止することができる。
本参考例３では、水平部１７はＴ字タイプであるが、逆Ｌ字タイプでも同様な効果を得ることができる。
【００１９】
次に、本発明の実施例の掲示装置の場合、情報掲示カード１１を収納室７内に容易に挿入できる工夫がなされている。図１６に示すように、収納室７のカード差込口１０にテーパー状の拡大部１８を形成することにより、情報掲示カード１１を容易に挿入できる。なお、テーパーではなく、曲面で拡大部１８を形成してもよい。又、このテーパーあるいは円曲はカード板Ａ又はＢの一方だけでも良い。
【００２０】
次に、本発明の実施例の掲示装置の場合、掲示部が円形の場合（図１７）、掲示部が長方形の場合（図１８）のカード差込口１０においてケース板Ｂを円周端面より適宜な寸法から削除するいわゆるＤカット（切削端面）１９を施した。この場合、直径１５０ｍｍの掲示板に対し端面から３０ｍｍの寸法でカットした。一方のケース板Ａは前記切削端面１９より壁の様に突出している。
前記の構造である情報掲示カードケースへ情報カード１１を挿入する時は、ケース板Ａの壁に押し付けるようにスライドさせると、カード差込口１０へ案内されて収納室７へ容易に挿入できる。
図１８は、掲示部１が長方形で有る場合の参考例である。
【００２１】
次に、本発明では、情報掲示カード１１が収納室７へ定まれた掲示方向へ収納できる工夫がなされている。
図１９の（Ａ）は収納室７の一部に凸部２０を形成した情報掲示カードケースの説明図、（Ｂ）は前記収納室７へ挿入される情報掲示カード１１である。
図１９の（Ａ）に基づいて説明すると、実施例１におけるケース板Ｂの段部６の一部に凸部２０を形成する。本実施例では山形の凸部２０としているが３角形でも良くその形状にとらわれなくてよい。また、収納室７へ挿入される情報掲示カード１１には、図１９（Ｂ）に示すように、前記凸部２０へ掛合する凹部２１を形成しておく。
したがって、凸部２０と凹部２１が収納室７内で組み合わされることにより、情報掲示カード１１の位置決めができる。この情報掲示カードケースを使えば、情報掲示カードケースを複数枚並べた時、掲示がまちまちに傾くことがなく、統一性がとれた美観を得ることができる。
【００２２】
次に、本発明の実施例の掲示装置の場合、情報掲示カードケースへ他の情報掲示物を追加できる工夫がなされている。
図２０は掲示部１の下端面部付近に貫通孔２２を形成する。貫通孔２２の個数は必要に応じて選択する。前記貫通孔２２へ他の情報掲示物２３に設けられたフック２４を掛けることにより、情報掲示物２３を簡単に吊り下げることができる。したがって、より多くの情報を店内に掲示でき、独自の宣伝と雰囲気をつくることができる。
【００２３】
次に、本発明の実施例の掲示装置の場合、掲示内容をより目立たせる工夫がなされている。
図２１は掲示部１の周囲を印刷等にて彩色を施した説明図であって、２５は彩色を施した彩色部である。色は例えばパチンコチェーン店のイメージカラーへ統一したり、季節によって使い分けしたりすることにより店内の美観を高めることができる。
さらに、色彩部２５へパチンコ台等のメーカー名やパチンコ店のロゴを標記すること、により宣伝効果が向上する。
【図面の簡単な説明】
【００２４】
【図１】（Ａ）はケース板Ａの側面図、（Ｂ）はＡ−Ａ´線断面図。
【図２】（Ａ）はケース板Ｂの側面図、（Ｂ）はＢ−Ｂ´線断面図。
【図３】（Ａ）はケース板ＡとＢを一体化した状態の説明図、（Ｂ）は断面図。
【図４】情報掲示カードケースをホルダーへ差し込む状態の説明図。
【図５】カード差込口を斜め前方に片寄らせた状態の説明図。
【図６】係合部に支持部を形成した例の説明図。
【図７】（Ａ）はケース板Ａに形成した折返部の説明図、（Ｂ）はＣ−Ｃ´線断面図    。
【図８】（Ａ）はケース板Ｂに形成した折返部の説明図、（Ｂ）はＤ−Ｄ´線断面図    。
【図９】折り返し部でケース板ＡとＢを組み合わせたカードケースの説明図。
【図１０】掲示部を額縁状に形成したカードケースの説明図。
【図１１】係合部を掲示部の中心より下方に形成した例の説明図。
【図１２】（Ａ）、（Ｂ）は、曲げモーメントの比較例の説明図。
【図１３】すべり止めを形成した係合部の説明図。
【図１４】係合部に水平部を形成した説明図。
【図１５】水平部の拡大図。
【図１６】収納室のカード差込口にスロート部を形成した説明図。
【図１７】ケース板Ｂにカット部を形成した説明図。
【図１８】掲示部を長方形に形成した説明図。
【図１９】（Ａ）は収納室内に形成した凸部の説明図、（Ｂ）は情報掲示カードに形    成した凹部の説明図。
【図２０】掲示部に他の掲示物を吊設する貫通孔を形成した説明図。
【図２１】掲示部の周縁に沿って彩色部を設けた例の説明図。
【図２２】従来の情報掲示シートとホルダーの説明図。
【符号の説明】
【００２５】
１  掲示部
７  収納室
１０  カード差込口
１１  情報掲示カード
１６  溝
１７  水平部
１８  拡大部
２０  凸部
２１  凹部
２２  貫通孔
【図１】
0003879851.tif 000002
【図２】
0003879851.tif 000003
【図３】
0003879851.tif 000004
【図４】
0003879851.tif 000005
【図５】
0003879851.tif 000006
【図６】
0003879851.tif 000007
【図７】
0003879851.tif 000008
【図８】
0003879851.tif 000009
【図９】
0003879851.tif 000010
【図１０】
0003879851.tif 000011
【図１１】
0003879851.tif 000012
【図１２】
0003879851.tif 000013
【図１３】
0003879851.tif 000014
【図１４】
0003879851.tif 000015
【図１５】
0003879851.tif 000016
【図１６】
0003879851.tif 000017
【図１７】
0003879851.tif 000018
【図１８】
0003879851.tif 000019
【図１９】
0003879851.tif 000020
【図２０】
0003879851.tif 000021
【図２１】
0003879851.tif 000022
【図２２】
0003879851.tif 000023